(57)【要約】【課題】本発明の課題は、利用者が出庫した保管品情報を、正確に把握する保管庫のシステム、および、その方法を提供することである。【解決手段】受信した開閉データで、記憶している開閉データを更新するＩＣカードと、ＩＣカードから受信した施錠状態の開閉データを持つ開錠要求を発行して、開錠状態の開閉データを持つ開錠許可を受け付けて、開錠して、ＩＣカードから受信した開錠状態の開閉データを持つ施錠要求を発行して、施錠状態の開閉データを持つ施錠許可を受け付けて、施錠する施錠して、受け付けた開閉データを、ＩＣカードに転送するＩＣカード開閉式保管庫と、施錠状態の開閉データを持つ開錠要求付を受け付けて、開錠状態の開閉データを持つ開錠許可を発行して、開錠状態の開閉データを持つ施錠要求を受け付けて、施錠状態の開閉データを持つ施錠許可を発行する管理サーバ装置と、がネットワーク接続されて構成された保管システムである。【選択図】図１
2008008139.tif 000002
【特許請求の範囲】
【請求項１】
ＩＣカード開閉式保管庫と、管理サーバ装置とが、ネットワーク接続されて構成されたＩＣカードを用いる保管システムであって、
前記ＩＣカードは、
利用者識別情報と保管庫を特定する情報とを含み、開錠状態、または、施錠状態の一方を有する開閉データを記憶する記憶手段と、
ＩＣカード開閉式保管庫から、開閉データ送信要求を受け付けて、前記記憶する開閉データを返信する開閉データ返信手段と、
ＩＣカード開閉式保管庫から開閉データを受信する開閉データ受信手段と、
前記受信した開閉データを用いて、記憶手段に記憶している開閉データを更新する開閉データ更新手段と、
を備えるＩＣカードであって、
前記ＩＣカード開閉式保管庫は、
ＩＣカードに、開閉データ送信要求を発行する開閉データ送信要求手段と、
ＩＣカードから、開閉データを受信する開閉データ受信手段と、
保管庫を特定する情報を含む開錠要求を作成して、これを前記受信した開閉データに添え
て、管理サーバ装置に、送信する開錠要求手段と、
管理サーバ装置から、保管庫を特定する情報を含む開錠許可を受け付けて、開錠する開錠手段と、
施錠要求の入力を受け付ける施錠要求受付手段と、
保管庫を特定する情報を含む施錠要求を作成して、これを施錠要求の入力を受け付けた後に受信した開閉データに添えて、管理サーバ装置に、送信する施錠要求手段と、
管理サーバ装置から、保管庫を特定する情報を含む施錠許可を受け付けて、施錠する施錠手段と、
管理サーバ装置から受信した開閉データを、ＩＣカードに転送する開閉データ中継手段と、を備える保管庫であって、
前記管理サーバ装置は、
ＩＣカード開閉式保管庫から、開錠要求が添えられた開閉データを受け付ける開錠要求受付手段と、
前記受け付けた開錠要求が添えられた開閉データが施錠状態を有すれば、前記受け付けた開錠要求の保管庫を特定する情報を読み取って、これを含む開錠許可を作成して、ＩＣカード開閉式保管庫に、発行する開錠許可手段と、
前記受け付けた開錠要求が添えられた施錠状態の開閉データを用いて、開錠状態の開閉デ
ータを作成する開錠データ作成手段と、
ＩＣカード開閉式保管庫に、前記作成した開閉データを送信する開閉データ送信手段と、ＩＣカード開閉式保管庫から、施錠要求が添えられた開閉データを受け付ける施錠要求受付手段と、
前記受け付けた施錠要求が添えられた開閉データが開錠状態を有すれば、前記受け付けた施錠要求の保管庫を特定する情報を読み取って、これを含む施錠許可を作成して、ＩＣカード開閉式保管庫に、発行する施錠許可手段と、
前記受け付けた施錠要求が添えられた開錠状態の開閉データを用いて、施錠状態の開閉データを作成する施錠データ作成手段と、
を備えるサーバ装置である、
ことを特徴とする管理サーバ型保管システム。
【請求項２】
前記ＩＣカード開閉式保管庫は、ＩＣカード開閉式保管庫内にＩＣタグ識別情報を記憶するＩＣタグを有する保管品を保持して、
ＩＣカード開閉式保管庫内の保管品のＩＣタグが記憶するＩＣタグ識別情報を読み取るＩＣタグ読取手段と、
前記読み取ったＩＣタグ識別情報と保管庫を特定する情報とを含む保管品情報を作成して、管理サーバ装置に、送信する保管品情報送信手段と、
を備える保管庫であって、
前記管理サーバ装置は、
利用者識別情報と保管庫を特定する情報とＩＣタグ識別情報とを含む履歴データと、
保管庫を特定する情報とＩＣタグ識別情報とを含む保管データと、
を記憶する記憶手段と、
ＩＣカード開閉式保管庫から、保管品情報を受信する保管品情報受信手段と、
前記受信した保管品情報と、前記記憶手段に記憶された保管データとを用いて、履歴データを作成する履歴作成手段と、
前記作成された履歴データを、前記記憶手段に、記録する履歴記録手段と、
記憶手段に記憶されている保管データを削除して、前記受信した保管品情報を用いて作成した保管データを、前記記憶手段に記録する保管データ更新手段と、
を備えるサーバ装置である、
ことを特徴とする請求項１に記載の管理サーバ型保管システム。
【請求項３】
利用者識別情報と保管庫を特定する情報とを含み、開錠状態、または、施錠状態の一方を有する開閉データを用いる保管方法であって、
開閉データ送信要求を発行する開閉データ送信要求ステップと、
開閉データを受信して、これに、保管庫を特定する情報を含む開錠要求を添えて、送信する開錠要求ステップと、
開錠要求が添えられた開閉データを受け付けて、開閉データが施錠状態を有すれば、前記受け付けた開錠要求の保管庫を特定する情報を読み取って、これを含む開錠許可を作成して、発行する開錠許可ステップと、
前記開錠許可を受け付けて、開錠する開錠ステップと、
前記受け付けた開錠要求が添えられた施錠状態の開閉データを用いて、開錠状態の開閉データを作成して、記憶している開閉データを更新する開閉データ更新ステップと、
施錠要求の入力を受け付ける施錠要求受付ステップと、
開閉データを受信して、これに、保管庫を特定する情報を含む施錠要求を添えて、送信する施錠要求ステップと、
施錠要求が添えられた開閉データを受け付けて、開閉データが開錠状態を有すれば、前記受け付けた施錠要求の保管庫を特定する情報を読み取って、これを含む施錠許可を作成して、発行する施錠許可ステップと、
前記施錠許可を受け付けて、施錠する施錠ステップと、
前記受け付けた施錠要求が添えられた開錠状態の開閉データを用いて、施錠状態の開閉データを作成する施錠データ作成ステップと、
前記受け付けた施錠要求が添えられた開錠状態の開閉データを用いて、施錠状態の開閉データを作成して、記憶している開閉データを更新する開閉データ更新ステップと、
を含んだ手順でなされることを特徴とする保管方法。
【請求項４】
ＩＣタグ識別情報を記憶するＩＣタグを有する保管品を用いる保管であって、
保管庫を特定する情報と保管品識別情報とを含む保管データと、
利用者識別情報と保管庫を特定する情報と保管品識別情報とを含む履歴データと、
利用者識別情報と保管庫を特定する情報とを含み、開錠状態、または、施錠状態の一方を有する開閉データと、
を用いる保管方法であって、
ＩＣカード開閉式保管庫内の保管品のＩＣタグが記憶するＩＣタグ識別情報を読み取るＩＣタグ読取ステップと、
前記読み取ったＩＣタグ識別情報と保管庫を特定する情報とを含む保管品情報を作成する保管品情報作成ステップと、
前記作成された保管品情報と、保管データとを用いて、履歴データを作成する履歴作成ステップと、
前記作成された履歴データを、記録する履歴記録ステップと、
記憶されている保管データを削除して、前記作成された保管品情報を用いて作成した保管データを、記録する保管データ更新ステップと、
を含んだ手順でなされることを特徴とする請求項３に記載の保管方法。
【請求項５】
コンピュータに組込むことによって、コンピュータを請求項１、または、請求項２に記載の管理サーバ型保管システムとして動作させるコンピュータプログラム。
【請求項６】
請求項５に記載のコンピュータプログラムを記録したコンピュータ読取り可能な記録媒体。
【発明の詳細な説明】
【技術分野】
【０００１】
本発明は、ＩＣカードを用いて施錠と開錠を行う保管庫のシステム、および、その方法に関するものである。
【０００２】
従来から、保管庫にある保管品の出庫管理が行われている。
【背景技術】
【０００３】
たとえば、特許文献１では、入場者に構成員識別コードを入力させることで、保管庫への入場が許可された入場者であることを識別する入場管理を行って、次に、入場者が保管品（事務用品）の出庫情報を入力することで、保管品の在庫管理を行う技術が開示されている。（従来技術１）
【特許文献１】特許第２７８０６８９号公報（５ページ、図２）
【特許文献２】特開平１１−２５０３７３号公報（２ページ、図１）
【発明の開示】
【発明が解決しようとする課題】
【０００４】
ところで、従来技術１では、保管品の利用者を特定して、保管品の出庫情報を把握することができないという問題点があった。また、保管品の出庫情報は、入場者による入力作業に依存しているので、正確な出庫情報が、把握できないという欠点があった。さらに、従来技術２では、ネットワーク構成をしないと未施錠管理が行えないという不具合があった。
【０００５】
本発明はこのような従来技術を考慮してなされたものであって、本発明の課題は、利用者が保管庫の施錠し忘れを防止できる保管庫のシステム、および、その方法を提供することで、更には、利用者が出庫した保管品情報を、入場者の入力作業を必要とせずに正確に把握する保管庫のシステム、および、その方法をも提供する。
【課題を解決するための手段】
【０００６】
本発明は、以下のような解決手段により、前記課題を解決する。すなわち、請求項１の発明は、ＩＣカード開閉式保管庫と、管理サーバ装置とが、ネットワーク接続されて構成されたＩＣカードを用いる保管システムであって、前記ＩＣカードは、利用者識別情報と保管庫を特定する情報とを含み、開錠状態、または、施錠状態の一方を有する開閉データを記憶する記憶手段と、ＩＣカード開閉式保管庫から、開閉データ送信要求を受け付けて、前記記憶する開閉データを返信する開閉データ返信手段と、ＩＣカード開閉式保管庫から開閉データを受信する開閉データ受信手段と、前記受信した開閉データを用いて、記憶手段に記憶している開閉データを更新する開閉データ更新手段と、を備えるＩＣカードであって、前記ＩＣカード開閉式保管庫は、ＩＣカードに、開閉データ送信要求を発行する開閉データ送信要求手段と、ＩＣカードから、開閉データを受信する開閉データ受信手段と、保管庫を特定する情報を含む開錠要求を作成して、これを前記受信した開閉データに添えて、管理サーバ装置に、送信する開錠要求手段と、管理サーバ装置から、保管庫を特定する情報を含む開錠許可を受け付けて、開錠する開錠手段と、施錠要求の入力を受け付ける施錠要求受付手段と、保管庫を特定する情報を含む施錠要求を作成して、これを施錠要求の入力を受け付けた後に受信した開閉データに添えて、管理サーバ装置に、送信する施錠要求手段と、管理サーバ装置から、保管庫を特定する情報を含む施錠許可を受け付けて、施錠する施錠手段と、管理サーバ装置から受信した開閉データを、ＩＣカードに転送する開閉データ中継手段と、を備える保管庫であって、前記管理サーバ装置は、ＩＣカード開閉式保管庫から、開錠要求が添えられた開閉データを受け付ける開錠要求受付手段と、前記受け付けた開錠要求が添えられた開閉データが施錠状態を有すれば、前記受け付けた開錠要求の保管庫を特定する情報を読み取って、これを含む開錠許可を作成して、ＩＣカード開閉式保管庫に、発行する開錠許可手段と、前記受け付けた開錠要求が添えられた施錠状態の開閉データを用いて、開錠状態の開閉データを作成する開錠データ作成手段と、ＩＣカード開閉式保管庫に、前記作成した開閉データを送信する開閉データ送信手段と、ＩＣカード開閉式保管庫から、施錠要求が添えられた開閉データを受け付ける施錠要求受付手段と、前記受け付けた施錠要求が添えられた開閉データが開錠状態を有すれば、前記受け付けた施錠要求の保管庫を特定する情報を読み取って、これを含む施錠許可を作成して、ＩＣカード開閉式保管庫に、発行する施錠許可手段と、前記受け付けた施錠要求が添えられた開錠状態の開閉データを用いて、施錠状態の開閉データを作成する施錠データ作成手段と、を備えるサーバ装置である、ことを特徴とする管理サーバ型保管システムである。
【０００７】
ここで、開錠したＩＣカード開閉式保管庫を施錠しないと、別のＩＣカード開閉式保管庫を開錠することができないので、ＩＣカード開閉式保管庫の施錠し忘れを防止できる。
【０００８】
請求項２の発明は、前記ＩＣカード開閉式保管庫は、ＩＣカード開閉式保管庫内にＩＣタグ識別情報を記憶するＩＣタグを有する保管品を保持して、ＩＣカード開閉式保管庫内の保管品のＩＣタグが記憶するＩＣタグ識別情報を読み取るＩＣタグ読取手段と、前記読み取ったＩＣタグ識別情報と保管庫を特定する情報とを含む保管品情報を作成して、管理サーバ装置に、送信する保管品情報送信手段と、を備える保管庫であって、前記管理サーバ装置は、利用者識別情報と保管庫を特定する情報とＩＣタグ識別情報とを含む履歴データと、保管庫を特定する情報とＩＣタグ識別情報とを含む保管データと、を記憶する記憶手段と、ＩＣカード開閉式保管庫から、保管品情報を受信する保管品情報受信手段と、前記受信した保管品情報と、前記記憶手段に記憶された保管データとを用いて、履歴データを作成する履歴作成手段と、前記作成された履歴データを、前記記憶手段に、記録する履歴記録手段と、記憶手段に記憶されている保管データを削除して、前記受信した保管品情報を用いて作成した保管データを、前記記憶手段に記録する保管データ更新手段と、を備えるサーバ装置である、ことを特徴とする請求項１に記載の管理サーバ型保管システムである。
【０００９】
そこで、履歴データを用いることで、保管品の利用者を特定して、保管品の出庫情報を正確に把握することが可能できる。そこで、たとえば、利用者別の保管品経費管理や、出庫した保管品の貸出管理などが可能となる。
【００１０】
請求項３の発明は、利用者識別情報と保管庫を特定する情報とを含み、開錠状態、または、施錠状態の一方を有する開閉データを用いる保管方法であって、開閉データ送信要求を発行する開閉データ送信要求ステップと、開閉データを受信して、これに、保管庫を特定する情報を含む開錠要求を添えて、送信する開錠要求ステップと、開錠要求が添えられた開閉データを受け付けて、開閉データが施錠状態を有すれば、前記受け付けた開錠要求の保管庫を特定する情報を読み取って、これを含む開錠許可を作成して、発行する開錠許可ステップと、前記開錠許可を受け付けて、開錠する開錠ステップと、前記受け付けた開錠要求が添えられた施錠状態の開閉データを用いて、開錠状態の開閉データを作成して、記憶している開閉データを更新する開閉データ更新ステップと、施錠要求の入力を受け付ける施錠要求受付ステップと、開閉データを受信して、これに、保管庫を特定する情報を含む施錠要求を添えて、送信する施錠要求ステップと、施錠要求が添えられた開閉データを受け付けて、開閉データが開錠状態を有すれば、前記受け付けた施錠要求の保管庫を特定する情報を読み取って、これを含む施錠許可を作成して、発行する施錠許可ステップと、前記施錠許可を受け付けて、施錠する施錠ステップと、前記受け付けた施錠要求が添えられた開錠状態の開閉データを用いて、施錠状態の開閉データを作成する施錠データ作成ステップと、前記受け付けた施錠要求が添えられた開錠状態の開閉データを用いて、施錠状態の開閉データを作成して、記憶している開閉データを更新する開閉データ更新ステップと、を含んだ手順でなされることを特徴とする保管方法である。
【００１１】
請求項４の発明は、ＩＣタグ識別情報を記憶するＩＣタグを有する保管品を用いる保管であって、保管庫を特定する情報と保管品識別情報とを含む保管データと、利用者識別情報と保管庫を特定する情報と保管品識別情報とを含む履歴データと、利用者識別情報と保管庫を特定する情報とを含み、開錠状態、または、施錠状態の一方を有する開閉データと、を用いる保管方法であって、ＩＣカード開閉式保管庫内の保管品のＩＣタグが記憶するＩＣタグ識別情報を読み取るＩＣタグ読取ステップと、前記読み取ったＩＣタグ識別情報と保管庫を特定する情報とを含む保管品情報を作成する保管品情報作成ステップと、前記作成された保管品情報と、保管データとを用いて、履歴データを作成する履歴作成ステップと、前記作成された履歴データを、記録する履歴記録ステップと、記憶されている保管データを削除して、前記作成された保管品情報を用いて作成した保管データを、記録する保
管データ更新ステップと、を含んだ手順でなされることを特徴とする請求項３に記載の保管方法である。
【００１２】
請求項５の発明は、コンピュータに組込むことによって、コンピュータを請求項１、または、請求項２に記載のＩＣタグを有する保管品を用いた管理サーバ型保管システムとして動作させるコンピュータプログラムである。
【００１３】
請求項６の発明は、請求項５に記載のコンピュータプログラムを記録したコンピュータ読取り可能な記録媒体である。
【発明の効果】
【００１４】
本願発明によれば、利用者が保管庫の施錠し忘れを防止できる保管庫のシステムおよびその方法を提供でき、更には、利用者が出庫した保管品情報を、入場者の入力作業を必要とせずに正確に把握する保管庫のシステム、および、その方法も提供できる。
【発明を実施するための最良の形態】
【００１５】
（実施例）
以下、図面等を参照しながら、本発明の実施の形態について、更に詳しく説明する。
【００１６】
図１は、ＩＣタグを有する保管品を用いた管理サーバ型保管システム１の全体構成図である。ＩＣタグ７１０を有する保管品を用いた管理サーバ型保管システム１は、接触型、または、非接触型のＩＣカード１００と、ネットワークで接続されたＩＣカード開閉式保管庫３００と管理サーバ装置５００とから構成される。
【００１７】
ＩＣカード１００には、利用者識別情報が含まれる開閉データ１９９が記憶され、詳しくは、開閉データ１９９には、ＩＣカード１００の所有者する利用者を識別するための情報である利用者識別情報に加え、開錠状態／施錠状態を示す情報が含まれ、開錠状態を示す開閉データ１９９には、開錠したＩＣカード開閉式保管庫３００を特定する情報である保管庫特定情報が含まれる。
【００１８】
ＩＣカード開閉式保管庫３００は保管庫特定情報を記憶し、更に、ＩＣカード開閉式保管庫３００には、保管される保管品７００に貼られたＩＣタグ７１０に記憶された情報を読み取るＩＣタグ読取手段３４０を備え、このＩＣタグ７１０には、ＩＣタグ７１０ごとに異なるＩＣタグ識別情報７１１が記憶されている。
【００１９】
管理サーバ装置５００は、保管データ３９１と履歴データ３９９とを記憶している。保管データ３９１とはＩＣカード開閉式保管庫３００に保管されている保管品７００の一覧を示すデータである。ＩＣカード開閉式保管庫３００はＩＣタグ読取手段３４０を用いて、ＩＣカード開閉式保管庫３００に保管されている保管品７００に貼られているＩＣタグ７１０すべてからＩＣタグ識別情報７１１を読み取り、読み取ったＩＣタグ識別情報７１１すべてと保管庫識別情報とを含む保管品情報を管理サーバ装置５００に送信する。
【００２０】
管理サーバ装置５００は、保管品７００を識別する情報である保管品識別情報と、保管品７００に貼られているＩＣタグ７１０に記憶されているＩＣタグ識別情報７１１とを対応付けて記憶し、ＩＣカード開閉式保管庫３００から受信した保管品情報に含まれるＩＣタグ識別情報７１１に対応する保管品識別情報を抽出し、ＩＣカード開閉式保管庫３００に保管されている保管品７００の一覧を示す保管データ３９１を生成し保持する。
【００２１】
履歴データ３９９とは、利用者がＩＣカード開閉式保管庫３００で行った操作を示すデータで、例えば、利用者がＩＣカード開閉式保管庫３００を開錠したとき、管理サーバ装置５００は、ＩＣカード開閉式保管庫３００を開錠されたことを示す履歴データ３９９を生成し、ＩＣカード開閉式保管庫３００から保管品７００が出庫されたとき、管理サーバ装置５００は、ＩＣカード開閉式保管庫３００から保管品７００が出庫されたことを示す履歴データ３９９を生成する。
【００２２】
図２は、ＩＣタグ７１０が貼られた保管品７００の出庫を管理する管理サーバ型保管システム２の処理の流れを説明する図である。
【００２３】
まず、ＩＣカード開閉式保管庫３００を開錠する処理の流れを説明する。ＩＣカード開閉式保管庫３００は、ＩＣカード１００に記憶された開閉データ１９９を取得するために、開閉データ送信要求を前記ＩＣカード１００に送信する（図２（１））。
【００２４】
ＩＣカード１００は、ＩＣカード開閉式保管庫３００から、開閉データ送信要求を受け付けると、ＩＣカード１００に記憶された施錠状態である開閉データ１９９をＩＣカード開閉式保管庫３００に返信する（同（２））。
【００２５】
ＩＣカード開閉式保管庫３００は、ＩＣカード１００から開閉データ１９９を受信すると、開閉データ１９９を添えて管理サーバ装置５００に開錠要求する（同（３））。
【００２６】
管理サーバ装置５００は、開閉データ１９９が添えられた開錠要求をＩＣカード開閉式保管庫３００から受け付けると（同（４））、管理サーバ装置５００は、受け付けた開閉データ１９９が施錠状態であれば、開閉データ１９９に含まれる保管庫特定情報で特定されるＩＣカード開閉式保管庫３００の開錠許可を作成して、開錠要求したＩＣカード開閉式保管庫３００に送信する（同（５））。
【００２７】
なお、管理サーバ装置５００は、ＩＣカード開閉式保管庫３００の開錠許可を作成するときに、開閉データ１９９に加え、ＩＣカード開閉式保管庫３００から利用者認証情報（例えば、パスワードやバイオメトリクス情報）を受け取って、利用者認証情報の認証に成功したときのみ、ＩＣカード開閉式保管庫３００の開錠許可を作成するようにしてもよい。
【００２８】
ＩＣカード開閉式保管庫３００は、管理サーバ装置５００から開錠許可を受信すると開錠し（同（６））、ＩＣカード開閉式保管庫３００は開錠したことを管理サーバ装置５００に通知する。
【００２９】
管理サーバ装置５００は、ＩＣカード開閉式保管庫３００の開錠が通知されると、ＩＣカード開閉式保管庫３００が開錠された時間などを含む履歴データ３９９を作成すると共に、開錠したことを通知したＩＣカード開閉式保管庫３００の保管庫特定情報を含み、ＩＣカード開閉式保管庫３００が開錠状態である開閉データ１９９を作成して、ＩＣカード開閉式保管庫３００に送信する（同（７））。
【００３０】
ＩＣカード開閉式保管庫３００は、管理サーバ装置５００から開閉データ１９９を受信すると、受信した開閉データ１９９をＩＣカード１００へ転送する（同（８））。
【００３１】
ＩＣカード１００は、ＩＣカード開閉式保管庫３００から開閉データ１９９を受信すると、記憶している開閉データ１９９を受信した内容に更新し、ＩＣカード１００にＩＣカード開閉式保管庫３００が開錠されたことを示す情報が記憶される（同（９））。
【００３２】
次に、管理サーバ装置５００が保管データ３９１を更新する処理を説明する。
【００３３】
ＩＣカード開閉式保管庫３００は、開錠或いは施錠されてから一定時間が経過すると、ＩＣタグ読取手段３４０を用いて、ＩＣカード開閉式保管庫３００に保管されている保管品７００に貼られたＩＣタグ７１０すべてからＩＣタグ識別情報７１１をすべて読み取って、読み取ったＩＣタグ識別情報７１１すべてと保管庫特定情報を含む保管品情報を管理サーバ装置５００へ送信する（同（２１）。
【００３４】
管理サーバ装置５００は、ＩＣカード開閉式保管庫３００から保管品情報を受信すると、受信した保管品情報に含まれるＩＣタグ識別情報７１１から、ＩＣカード開閉式保管庫３００に保管されている保管品７００を特定した後、記憶している保管データ３９１を参照することで、保管品の出庫／返却を確認し、保管品の出庫／返却がされているときは、保管品の出庫／返却を示す履歴データ３９９を作成する（同（２２））。
【００３５】
管理サーバ装置５００は、記憶している保管データ３９１に含まれる保管品識別情報に対応するＩＣタグ識別情報７１１が保管品情報に含まれていなければ、このＩＣタグ識別情報７１１で特定される保管品７００が出庫されたことを示す履歴データ３９９を作成する。
【００３６】
また、管理サーバ装置５００は、記憶している保管データ３９１に含まれる保管品識別情報に対応するＩＣタグ識別情報７１１以外のＩＣタグ識別情報７１１が保管品情報に含まれていれば、このＩＣタグ識別情報７１１で特定される保管品７００が返却されたことを示す履歴データ３９９を作成する。
【００３７】
管理サーバ装置５００は履歴データ３９９を作成した後、ＩＣカード開閉式保管庫３００から受信した保管品情報に基づき、記憶している保管データ３９１を更新する（同（２３））。  
【００３８】
次に、ＩＣカード開閉式保管庫３００を施錠する処理の流れを説明する。
【００３９】
ＩＣカード開閉式保管庫３００が、利用者から施錠要求を受け付ける（同（３１））と、ＩＣカード開閉式保管庫３００は、ＩＣカード１００に記憶された開閉データ１９９を取得するために、開閉データ送信要求をＩＣカード１００に送信する（同（３２））。
【００４０】
ＩＣカード１００は、ＩＣカード開閉式保管庫３００から、開閉データ送信要求を受けると、ＩＣカード１００に記憶している開閉データ１９９をＩＣカード開閉式保管庫３００へ返信する（同（３３））。
【００４１】
ＩＣカード開閉式保管庫３００は、ＩＣカード１００から開閉データ１９９を受信すると、受信した開閉データ１９９を添えて管理サーバ装置５００に施錠要求する（同（３４））
【００４２】
管理サーバ装置５００は、ＩＣカード開閉式保管庫３００から、開閉データ１９９が添えられた施錠要求を受け付けると（同（３５））、管理サーバ装置５００は、受け付けた開閉データが開錠状態であれば、開閉データ１９９に含まれる保管庫特定情報と、施錠要求したＩＣカード開閉式保管庫３００の保管庫特定情報が一致するか確認し、一致したときのみ施錠要求したＩＣカード開閉式保管庫３００の施錠許可を作成して、施錠要求したＩＣカード開閉式保管庫３００に送信する（同（３６））。
【００４３】
ＩＣカード開閉式保管庫３００は、管理サーバ装置５００から施錠許可を受信すると施錠（同（３７））し、施錠したことを管理サーバ装置５００に通知する。
【００４４】
管理サーバ装置５００は、ＩＣカード開閉式保管庫３００の施錠が通知されると、ＩＣカード開閉式保管庫３００の施錠時間などを含む履歴データ３９９を作成すると共に、開閉データ１９９からＩＣカード開閉式保管庫３００が施錠状態である開閉データ１９９を作成して、ＩＣカード開閉式保管庫３００に送信する（同（３８））。
【００４５】
ＩＣカード開閉式保管庫３００は、管理サーバ装置５００から開閉データ１９９を受信すると、受信した開閉データ１９９をＩＣカード１００へ転送する（同（３９））。
【００４６】
ＩＣカード１００は、ＩＣカード開閉式保管庫３００から開閉データ１９９を受信すると、記憶している開閉データ１９９を受信した内容に更新することで、ＩＣカード１００にＩＣカード開閉式保管庫３００が施錠されたことを示す情報が記憶される（同（４０））。
【００４７】
図３は開閉データ１９９を説明する図である。図３（ａ）に図示しているように、開閉データ１９９には、利用者識別情報と、ＩＣカード開閉式保管庫３００が開錠状態／施錠状態のいずれか示す情報とが記憶され、更に、ＩＣカード開閉式保管庫３００が開錠状態を示す開閉データ１９９には、開錠されているＩＣカード開閉式保管庫３００の保管庫特定情報が記述される。
【００４８】
図３（ａ）には、開錠状態の開閉データとして、利用者識別情報が「ID123456」、保管庫を特定する情報が「HOKANNKO-001」、ＩＣカード開閉式保管庫３００の状態が「開錠状態」である開閉データが、例示されている。
【００４９】
また、図３（ｂ）には、施錠状態の開閉データとして、利用者識別情報が「ID123456」、保管庫を特定する情報が「空白」、ＩＣカード開閉式保管庫３００の状態が「施錠状態」である開閉データが、例示されている。
【００５０】
図４は、保管データ３９１の形式を説明する図である。保管データ３９１の項目は、保管庫識別情報と、保管品識別情報とから構成される。
【００５１】
図４には、保管庫特定情報が「HOKANNKO-001」であるＩＣカード開閉式保管庫３００に、保管品識別情報が「HG48690-6」である保管品７００と、保管品識別情報が「NF67487-4」である保管品７００が保管され、保管庫特定情報が「HOKANNKO-002」であるＩＣカード開閉式保管庫３００に、保管品識別情報が「HF57125-1」である保管品７００と、保管品識別情報が「NG87653-8」である保管品７００が保管されていることが、例示されている。
【００５２】
図５は、履歴データ３９９の形式を説明する図である。履歴データ３９９の項目は、利用者識別情報と、保管庫特定情報と、保管品識別情報と、操作情報と、時刻情報とから構成される。
【００５３】
履歴データ３９９の時刻情報は日時で、操作情報は、「開錠受付」、「施錠受付」、「保管品の出庫」、または、「保管品の返却」を示す情報が記録される。履歴データ３９９の時刻情報に記憶される日時は、操作情報で示される操作が実施されたときの日時で、例えば、管理サーバ装置５００が履歴データ３９９を生成したときの日時が時刻情報として記述される。
【００５４】
図５には、利用者識別情報が「ID123456」、保管庫を特定する情報が「HOKANNKO-001」、操作情報が、「開錠受付」、時刻情報が「2006/04/20  15:20」である履歴データ３９９が、例示されている。
【００５５】
また、利用者識別情報が「ID123456」、保管庫を特定する情報が「HOKANNKO-001」、保管品識別情報が、「PU49706-3」、操作情報が、「保管品の出庫」、時刻情報が「2006/04/20  15:21」である履歴データ３９９が、例示されている。
【００５６】
図６は、操作情報が「保管品の出庫」または「保管品の返却」である履歴データ３９９を作成する手順の説明図である。ＩＣカード開閉式保管庫３００に備えられたＩＣタグ読取手段３４０は、ＩＣカード開閉式保管庫３００が開閉された後、ＩＣカード開閉式保管庫３００に保管されている保管品７００に貼られているＩＣタグ７１０のＩＣタグ識別情報７１１をすべて読み取る（図６（１））。
【００５７】
ＩＣカード開閉式保管庫３００に保管されている保管品７００に貼られているＩＣタグ７１０のＩＣタグ識別情報７１１をすべて読み取った後、ＩＣカード開閉式保管庫３００は、読み取ったＩＣタグ識別情報７１１すべてと保管庫特定情報とを含む保管品情報を管理サーバ装置５００に送信し、管理サーバ装置５００は、受信した保管品情報に含まれる保管庫特定情報の保管データ３９１を抽出し、保管品情報に含まれるＩＣタグ識別情報７１１で特定される保管品７００の保管品識別情報と抽出した保管データ３９１の内容とを比較する（同（２））。
【００５８】
管理サーバ装置５００は、記憶している保管データ３９１に含まれる保管品識別情報に対応するＩＣタグ識別情報７１１以外のＩＣタグ識別情報７１１が保管品情報に含まれていれば、操作情報を「保管品の返却」とし、このＩＣタグ識別情報７１１で特定される保管品７００が返却されたことを示す履歴データ３９９を作成する。
【００５９】
また、管理サーバ装置５００は、抽出した保管データ３９１に含まれる保管品識別情報に対応するＩＣタグ識別情報７１１が保管品情報に含まれていなければ、操作情報を「保管品の出庫」とし、このＩＣタグ識別情報７１１で特定される保管品７００が出庫されたことを示す履歴データ３９９を作成する。
【００６０】
操作情報が「開錠受付」および「施錠受付」の履歴データ３９９を作成するときは、ＩＣカード開閉式保管庫３００から開錠／施錠の通知を受けた日時を履歴データ３９９の時刻情報とし、通知された内容（開錠或いは施錠）を操作情報と、開錠要求／施錠要求に添えられた開閉データ１９９に含まれる利用者識別情報と、開錠要求／施錠要求したＩＣカード開閉式保管庫３００の保管庫特定情報とが利用される。
【００６１】
図７は、ＩＣタグ７１０を有する保管品を用いた管理サーバ型保管システム２の詳細な構成図である。管理サーバ型保管システム２は、ＩＣカード１００が有線接続または、無線接続されたＩＣカード開閉式保管庫３００と、管理サーバ装置５００とが、ネットワーク接続されて構成される。
【００６２】
ＩＣカード１００は、開閉データ返信手段１１０と、開閉データ受信手段１６０と、開閉データ更新手段１２０と、開閉データ１９９が記憶される記憶手段１９０と、を備える。
【００６３】
図３で図示したように、開閉データ１９９には、利用者識別情報と、ＩＣカード開閉式保管庫３００が開錠状態／施錠状態のいずれか示す情報とが記憶され、更に、ＩＣカード開閉式保管庫３００が開錠状態を示す開閉データ１９９には、開錠されているＩＣカード開閉式保管庫３００の保管庫特定情報が記述される。
【００６４】
開閉データ返信手段１１０は、ＩＣカード開閉式保管庫３００から開閉データ送信要求を受け付けると、開閉データ１９９を返信し、返信した開閉データ１９９にフラグなどを付与しておく。開閉データ受信手段１６０が、ＩＣカード開閉式保管庫３００から開閉データ１９９を受信すると、開閉データ更新手段１２０が作動し、開閉データ更新手段１２０は、フラグが付与されている開閉データ１９９を受信した開閉データ１９９の内容に更新しフラグを消す。
【００６５】
ＩＣカード開閉式保管庫３００は、開閉データ送信要求手段３１０と、開錠要求手段３２０と、開錠手段３３０と、施錠要求受付手段３１５と、施錠要求手段３２５と、施錠手段３３５と、ＩＣタグ読取手段３４０と、保管品情報送信手段３４５と、開閉データ中継手段３５０と、開閉データ受信手段３１３と、を備える。
【００６６】
開閉データ送信要求手段３１０は、ＩＣカード１００に、開閉データ送信要求を送信する。開閉データ受信３１３は、ＩＣカード１００から、開閉データ１９９を受信する。開錠要求手段３２０は、ＩＣカード開閉式保管庫３００の保管庫特定情報を含む開錠要求を作成して、これに受信した開閉データ１９９に添えて、管理サーバ装置５００に送信する。開錠手段３３０は、管理サーバ装置５００から保管庫特定情報を含む開錠許可を受け付けて開錠する。
【００６７】
施錠要求受付手段３１５は、利用者から施錠要求の入力を受け付ける。施錠要求手段３２５は、ＩＣカード開閉式保管庫３００の保管庫特定情報を含む施錠要求を作成し、この施錠要求にＩＣカード１００から受信した開閉データ１９９に添えて、管理サーバ装置５００に施錠要求する。施錠手段３３５は、管理サーバ装置５００から、ＩＣカード開閉式保管庫３００の保管庫特定情報を含む施錠許可を受け付けて施錠する。
【００６８】
開閉データ中継手段３５０は、管理サーバ装置５００から受信した開閉データ１９９をＩＣカード１００に転送する。
【００６９】
ＩＣタグ読取手段３４０は、ＩＣカード開閉式保管庫３００内の保管品７００のＩＣタグ７１０が記憶するＩＣタグ識別情報７１１を読み取る。保管品情報送信手段３４５は、読み取ったＩＣタグ識別情報７１１すべてと保管庫特定情報を含む保管品情報を作成して、管理サーバ装置５００に送信する。
【００７０】
管理サーバ装置５００は、開錠要求受付手段５１０と、開錠許可手段５３０と、開錠データ作成手段５４０と、開閉データ送信手段５５０と、施錠要求受付手段５１５と、施錠許可手段５３５と、施錠データ作成手段５４５と、保管品情報受信手段５６０と、履歴作成手段５７０と、履歴記録手段５７５と、保管データ更新手段５８０と、記憶手段５９０と、を備える。記憶手段５９０には、履歴データ３９９と保管データ３９１とが記憶される。
【００７１】
履歴データ３９９および保管データ３９１の内容についてすでに上述している。
【００７２】
開錠要求受付手段５１０は、ＩＣカード開閉式保管庫３００から開閉データ１９９が添えられた開錠要求を受け付ける。
【００７３】
開錠許可手段５３０は、開錠要求に添えられた開閉データ１９９で施錠状態が示されるとき、開錠要求したＩＣカード開閉式保管庫３００の保管庫特定情報を含む開錠許可を作成して、ＩＣカード開閉式保管庫３００に送信する。開錠データ作成手段５４０は、開錠要求に添えられ施錠状態の開閉データ１９９を用いて、開錠状態の開閉データ１９９を作成する。
【００７４】
施錠要求受付手段５１５は、ＩＣカード開閉式保管庫３００から、開閉データ１９９が添えられた施錠要求を受け付ける。施錠許可手段５３５は、施錠要求に添えられた開閉データ１９９で開錠状態が示されるとき、施錠要求したＩＣカード開閉式保管庫３００の保管庫特定情報を含む施錠許可を作成して、施錠要求したＩＣカード開閉式保管庫３００に送信する。施錠データ作成手段５４５は、施錠要求に添えられた開錠状態の開閉データ１９９を用いて、施錠状態の開閉データ１９９を作成する。
【００７５】
開閉データ送信手段５５０は、作成した開閉データ１９９をＩＣカード開閉式保管庫３００に送信する。
【００７６】
保管品情報受信手段５６０は、ＩＣカード開閉式保管庫３００から保管品情報を受信する。履歴作成手段５７０は、ＩＣカード開閉式保管庫３００が開錠／施錠されたときや、保管品情報を受信したときに履歴データ３９９を作成する。履歴作成手段５７０が履歴データ３９９を作成する内容についてはすでに上述している。
【００７７】
保管データ更新手段５８０は、記憶手段５９０に記憶されている保管データ３９１を受信した保管品情報の内容に更新する手段である。
【００７８】
開閉データ返信手段１１０と、開閉データ受信手段１６０と、開閉データ更新手段１２０と、開閉データ送信要求手段３１０と、開閉データ受信手段３１３と、開錠要求手段３２０と、開錠手段３３０と、施錠要求受付手段３１５と、施錠要求手段３２５と、施錠手段３３５と、ＩＣタグ読取手段３４０と、保管品情報送信手段３４５と、開閉データ中継手段３５０と、開錠要求受付手段５１０と、開錠許可手段５３０と、開錠データ作成手段５４０と、開閉データ送信手段５５０と、施錠要求受付手段５１５と、施錠許可手段５３５と、施錠データ作成手段５４５と、保管品情報受信手段５６０と、履歴作成手段５７０と、履歴記録手段５７５と、保管データ更新手段５８０と、は、コンピュータプログラムである。開閉データ１９９と、履歴データ３９９と、保管データ３９１と、コンピュータが可読なデータである。記憶手段１９０と、記憶手段５９０と、は、メモリーである。
【００７９】
以上詳しく説明したように、本願発明によれば、保管品の利用者を特定して、保管品の出庫情報を把握することができた。また、保管品の正確な出庫情報を把握することができた。
【図面の簡単な説明】
【００８０】
【図１】ＩＣタグを有する保管品を用いた管理サーバ型保管システム２の全体構成図。
【図２】ＩＣタグを有する保管品を用いた管理サーバ型保管システム処理の流れを説明する図
【図３】開閉データの形式と例を説明する図。
【図４】保管データの形式と例を説明する図。
【図５】履歴データの形式を説明する図。
【図６】履歴データの作成手順を説明する図。
【図７】ＩＣタグを有する保管品を用いた管理サーバ型保管システムの詳細な構成図。
【符号の説明】
【００８１】
1  ＩＣカードを用いる保管システム
２  ＩＣカードを用いる管理サーバ型保管システム
１１０  開閉データ更新手段
１２０  開閉データ返信手段
１６０  開閉データ受信手段
１９０  記憶手段
１９９  開閉データ
３００  ＩＣカード開閉式保管庫
３１０  開閉データ送信要求手段
３１３  開閉データ受信手段
３１５  施錠要求受付手段
３２０  開錠要求手段
３２５  施錠要求手段
３３０  開錠手段
３３５  施錠手段
３４０  ＩＣタグ読取手段
３４５  保管品情報送信手段
３５０  開閉データ中継手段
３９１  保管データ
３９９  履歴データ
５００  管理サーバ装置
５１０  開錠要求受付手段
５１５  施錠要求受付手段
５３０  開錠許可手段
５３５  施錠許可手段
５４０  開錠データ作成手段
５４５  施錠データ作成手段
５５０  開閉データ送信手段
５６０  保管品情報受信手段
５７０  履歴作成手段
５７５  履歴記録手段
５８０  保管データ更新手段
５９０  記憶手段
７００  保管品
７１０  ＩＣタグ
７１１  ＩＣタグ識別情報
【図１】
2008008139.tif 000003
【図２】
2008008139.tif 000004
【図３】
2008008139.tif 000005
【図４】
2008008139.tif 000006
【図５】
2008008139.tif 000007
【図６】
2008008139.tif 000008
【図７】
2008008139.tif 000009